(57)【要約】【課題】ＩＣタグシールの不正な使用をできなくし、少なくとも基板ケースが不正に取り外されたり、検査済みのＲＯＭが裏ＲＯＭ又は不正ＲＯＭと呼ばれるものに差し替えられたりしたことの確認、不正な制御基板を収容した基板ケースに差し替えられたかどうかの確認を容易に行うこと。【解決手段】非接触で読み取りが可能な固有の識別情報を記憶するＩＣチップを有したＩＣタグシールに、筐体の内部に設けられる監視装置により、ホール内の図示しない発信装置からの監視信号を増幅して与えるようにし、ＩＣタグシールが剥離剤等によって不正に剥がされたり、ＩＣタグシールが検査済みのＲＯＭ、主制御基板又は基板ケースのいずれかとともに筐体の内部から取り出されたとき、監視装置からの信号レベルが一定値以下になることで、ＩＣタグシールのＩＣチップにより記憶済みの固有の識別情報が自己破棄されるようにした。【選択図】図１１
2008212572.tif 000002
【特許請求の範囲】
【請求項１】
遊技機に設けられている、少なくとも主要部品を搭載する制御基板を収容するための基板ケースを搭載する遊技機であって、
前記主要部品、前記制御基板又は前記基板ケースのいずれかに設けられ、非接触で読み取りが可能な固有の識別情報を記憶する記憶手段を有したＩＣタグと、
ホール内の発信装置からの監視信号を増幅して前記ＩＣタグに与える監視手段とを備え、
前記ＩＣタグの記憶手段は、前記監視手段からの信号レベルが一定値以下になると、記憶済みの前記固有の識別情報を自己破棄する
ことを特徴とする遊技機。
【請求項２】
前記監視手段から前記ＩＣタグへの監視信号は、継続して与えられことを特徴とする請求項１に記載の遊技機。
【請求項３】
前記ＩＣタグの記憶手段は、前記監視手段からの信号レベルが一定値以下になると、前記固有の識別情報を所定の文字列に書き換えることを特徴とする請求項１又は２に記載の遊技機。
【発明の詳細な説明】
【技術分野】
【０００１】
本発明は、検査済みのＲＯＭが裏ＲＯＭ又は不正ＲＯＭと呼ばれるものに不正に差し替えられたり、あるいは不正な制御基板が収容された基板ケースが現在使用されている基板ケースと不正に差し替えられたりする不正行為の防止に適した遊技機に関する。
【背景技術】
【０００２】
遊技機の一種として回胴式遊技機である、たとえばスロットマシンがある。スロットマシンは、複数の図柄が付された回転体としての複数のリールを備え、遊技者がメダルを投入してスタートレバーを操作することで各リールが回転を開始する。各リールが回転を開始した後、ストップボタンを操作したり所定時間が経過したりすることで、各リールが順次停止する。  
【０００３】
また、スロットマシンでは、メダル（又はコインとも呼ばれている）の投入とスタートレバーの操作を条件として抽選を行い、その抽選結果が当選であり、かつ予め設定された有効ライン上に遊技者が当選した図柄を停止させることを条件として所定枚数のメダルが払い出されたり、遊技者に有利な特別遊技状態（ボーナスゲーム等）が発生する。
【０００４】
また、このようなスロットマシンは、前面側に開口を有する箱形の筐体と、この筐体の前面側に開閉自在に取り付けられた前扉とを備え、筐体の内部に遊技構成装置が配設されて、前扉が開口を覆う状態で遊技に供されるようになっている。また、その筐体の内部には、スロットマシンの各部に電力を供給するための電源装置が設けられており、この電源装置から供給される電力によりスロットマシンが作動するようになっている。
【０００５】
ところで、このようなスロットマシンでは、ゲームの演出に係る制御を主に行うサブ制御基板と、リールの回転駆動を制御する回胴装置基板と、ベットボタン、スタートレバー及びストップボタンによる操作信号を転送する中央表示基板と、各駆動部等への電力供給を制御する電源装置基板とを備え、これらの基板は主制御基板により集中制御されている。
【０００６】
また、主制御基板には、システムプログラムやスロットマシンゲーム用のプログラム等が書き込まれているＲＯＭ（Ｒｅａｄ  Ｏｎｌｙ  Ｍｅｍｏｒｙ）、このＲＯＭから所定のプログラムを読み出して所定の制御を行うＣＰＵ（Ｃｅｎｔｒａｌ  Ｐｒｏｃｅｓｓｉｎｇ  Ｕｎｉｔ）、このＣＰＵによる演算結果等を保持するＲＡＭ（Ｒａｎｄｏｍ  Ａｃｃｅｓｓ  Ｍｅｍｏｒｙ）等の電子素子等が搭載されており、ゲームの進行に合わせそのＲＯＭから読み出したプログラムに基づき、上述した各種基板への制御が行われるようになっている。
【０００７】
ところで、主制御基板に搭載されている上述した特にＲＯＭは、定期的な検査等のために基板上のコネクタに着脱自在となるように装着されている。また、上述した各電子素子等は、筐体の外部から内部に挿入されるセルや針金等の不正行為治具によって不正に弄られないように、本体ケースと上蓋ケースとからなる基板ケースに収容されている。
【０００８】
また、その上蓋ケースは、ホールスタッフ等により主制御基板上の各電子素子等の状態が確認し易いように透明なプラスチックで形成されている。さらに、その上蓋ケースは、法規制により検査済みシールである封印シールが貼着されて封印されているとともに、本体ケースと上蓋ケースとがカシメ状態で結合する接続部材を介してカシメ結合され、上蓋ケースが開けられないようになっている。
【０００９】
また、主制御基板は、通常、筐体内部を正面から見たとき、所定数の図柄が付された３個のリールを有する回胴装置の上方に位置するように筐体内面に取り付けられている。これは、スロットマシンの構成上、筐体内部のほぼ中央寄りにその回胴装置が配置され、回胴装置の下方にメダルの払い出し等を行うホッパ装置や電源を供給する電源装置等が配置されるようになっており、主制御基板の状態を前扉を開けて確認し易い位置が回胴装置の上方となるためである。
【００１０】
また、主制御基板を、回胴装置の上方に位置するように筐体内面に取り付けることで、前扉側から見てその位置が最も遠くなり、しかも主制御基板が本体ケースと上蓋ケースとの間に挟持されたユニット構成とされていることで、筐体の外部から内部に挿入されるセルや針金等の不正行為治具によって主制御基板上の各種電子素子等が不正に弄られないような対策もとることができるようになっている。
【００１１】
ところで、上述したように、基板ケースの上蓋ケースは、封印シールが貼着されて封印されているものの、たとえば上蓋ケースが不正に開けられるとき、その封印シールが剥離剤等によって剥離されることがあり、検査済みのＲＯＭが裏ＲＯＭ又は不正ＲＯＭと呼ばれるものに差し替えられた後に、その剥離された封印シールが再貼着されてしまうと、上蓋ケースが不正に開けられたかどうかを確認することは困難となっている。
【００１２】
また、たとえば上蓋ケースが不正に開けられて検査済みのＲＯＭが裏ＲＯＭ又は不正ＲＯＭと呼ばれるものに差し替えられた後、精巧な偽造封印シールが貼着されてしまった場合も、上蓋ケースが不正に開けられたかどうかを確認することは困難となっている。同様に、予め上蓋ケースに精巧な偽造封印シールが貼着され、さらに不正な制御基板が収容された基板ケースが現在使用されている基板ケースと不正に差し替えられたりしても、基板ケースが不正に差し替えられたかどうかを確認することは困難となっている。
【００１３】
このような不正行為を容易に発見できるようにしたものとして、特許文献１では、箔状アンテナ及びＩＣチップからなるＩＣタグを有する封印シールをケース蓋体とメイン制御基板との間に介在させ、その封印シールの両面がケース蓋体とメイン制御基板とに接着層を介して接着されるようにした方法を提案している。
【００１４】
【特許文献１】特開２００５−３４２０９７号公報
【発明の開示】
【発明が解決しようとする課題】
【００１５】
上述した特許文献１によれば、ケース蓋体とメイン制御基板とが引き離されると、ＩＣタグの箔状アンテナが切断されてＩＣチップが外部機器と無線通信を行うことができなくなることや、ケース蓋体とメイン制御基板とが引き離された際の封印シールの残骸の確認等によって、不正行為を容易に発見できるようになっている。
【００１６】
ところが、封印シールの両面がケース蓋体とメイン制御基板とに接着層を介して接着されているにもかかわらず、ケース蓋体とメイン制御基板との間に剥離剤等が注入されてしまうと、ＩＣタグが破断されることなく封印シールが剥離されてしまうことがある。
【００１７】
このように、封印シールが剥離されてしまい、上述したように、検査済みのＲＯＭが裏ＲＯＭ又は不正ＲＯＭと呼ばれるものに差し替えられた後に、その剥離された封印シールが再貼着されてしまうと、上蓋ケースが不正に開けられたかどうかを確認することは困難となってしまう。
【００１８】
また、たとえば上蓋ケースが不正に開けられて検査済みのＲＯＭが裏ＲＯＭ又は不正ＲＯＭと呼ばれるものに差し替えられた後、精巧な偽造封印シールによってその剥離された封印シールが上貼りされてしまった場合も、上蓋ケースが不正に開けられたかどうかを確認することは困難となってしまう。
【００１９】
同様に、不正な制御基板を収容した基板ケースに剥離された封印シールや精巧な偽造封印シールが貼着され、その基板ケースが現在使用されている基板ケースと不正に差し替えられたりしても、基板ケースが不正に差し替えられたかどうかの確認が困難となってしまう。
【００２０】
このような場合、封印シールを剥離剤等によって容易に剥離できないように、たとえば基板ケースの背面側に貼着することも考えられるが、封印シールは筐体の前扉を開けたときに、基板ケースの上蓋ケース上から確認できる位置に貼着しておかなければ封印の意味をなさないため、基板ケースの上蓋ケース上から確認できる位置に貼着する必要がある。
【００２１】
また、特に、基板ケースが筐体内部から不正に取り外されて持ち去られてしまうと、封印シールの剥離や再貼着、さらには精巧な偽造封印シールによる封印シールへの上貼り等のための時間を与えてしまうことになる。この場合、封印シールの剥離や再貼着、さらには精巧な偽造封印シールによる封印シールへの上貼り等が時間をかけて精巧に行われてしまうことになる。
【００２２】
このようにして検査済みのＲＯＭが裏ＲＯＭ又は不正ＲＯＭと呼ばれるものに差し替えられた後に、その基板ケースが筐体内部に戻されてしまうと、検査済みのＲＯＭが裏ＲＯＭ又は不正ＲＯＭと呼ばれるものに差し替えられたかどうかの確認が極めて困難となってしまう。同様に、不正な制御基板を収容した基板ケースに剥離された封印シールや精巧な偽造封印シールが貼着され、その基板ケースが現在使用されている基板ケースと不正に差し替えられたりしても、基板ケースが不正に差し替えられたかどうかの確認が極めて困難となってしまう。
【００２３】
このような場合、特許文献１のように、検査済みのＲＯＭ、制御基板又は基板ケースのいずれかに、たとえば非接触で読み取りが可能なＩＣタグシールを貼着しておき、上蓋ケースが不正に開けられて検査済みのＲＯＭが裏ＲＯＭ又は不正ＲＯＭと呼ばれるものに差し替えられるとき、あるいは基板ケースが筐体内部から不正に取り外されて持ち去られてしまったとき、ＩＣタグシールのＩＣチップに記憶されている情報がＩＣチップにより自己破棄されるようにすればよいものと考えられる。
【００２４】
これは、ＩＣタグシールのＩＣチップに記憶されている情報が自己破棄されることで、たとえそのＩＣタグシールが不正に使用されたとしても、そのＩＣタグシールからの情報の読み取りが行えなくなり、検査済みのＲＯＭが裏ＲＯＭ又は不正ＲＯＭと呼ばれるものに差し替えられたかどうかの確認や、不正な制御基板を収容した基板ケースが現在使用されている基板ケースと不正に差し替えられたかどうかの確認を行うことができるものと考えられるからである。
【００２５】
このようなことから、ＩＣタグシールの不正な使用をできなくし、少なくとも基板ケースが筐体内部から不正に取り外されたことを容易に確認できるようにすることで、検査済みのＲＯＭが裏ＲＯＭ又は不正ＲＯＭと呼ばれるものに差し替えられたかどうかの確認や、不正な制御基板を収容した基板ケースが現在使用されている基板ケースと不正に差し替えられたかどうかの確認を容易に行うことができる装置の開発が望まれていた。
【００２６】
本発明は、このような状況に鑑みてなされたものであり、ＩＣタグの不正な使用をできなくし、少なくとも基板ケースが筐体内部から不正に取り外されたかどうかの確認や、検査済みのＲＯＭが裏ＲＯＭ又は不正ＲＯＭと呼ばれるものに差し替えられたかどうかの確認、さらには不正な制御基板を収容した基板ケースが現在使用されている基板ケースと不正に差し替えられたかどうかの確認を容易に行うことができる遊技機を提供することを目的とする。
【課題を解決するための手段】
【００２７】
本発明の遊技機は、遊技機に設けられている、少なくとも主要部品を搭載する制御基板を収容するための基板ケースを搭載する遊技機であって、前記主要部品、前記制御基板又は前記基板ケースのいずれかに設けられ、非接触で読み取りが可能な固有の識別情報を記憶する記憶手段を有したＩＣタグと、ホール内の発信装置からの監視信号を増幅して前記ＩＣタグに与える監視手段とを備え、前記ＩＣタグの記憶手段は、前記監視手段からの信号レベルが一定値以下になると、記憶済みの前記固有の識別情報を自己破棄することを特徴とする。
【００２８】
また、前記監視手段から前記ＩＣタグへの監視信号は、継続して与えられようにしてもよい。
また、前記ＩＣタグの記憶手段は、前記監視手段からの信号レベルが一定値以下になると、前記固有の識別情報を所定の文字列に書き換えるようにしてもよい。
【００２９】
本発明の遊技機では、主要部品、制御基板又は基板ケースのいずれかに貼着される、非接触で読み取りが可能な固有の識別情報を記憶する記憶手段を有したＩＣタグに、監視手段により、ホール内の発信装置からの監視信号を増幅して与えるようにし、ＩＣタグが不正に剥がされたり、ＩＣタグが主要部品、制御基板又は基板ケースのいずれかとともに筐体内部から取り出されたとき、監視手段からの信号レベルが一定値以下になることで、ＩＣタグの記憶手段により記憶済みの固有の識別情報が自己破棄され、ＩＣタグが不正に使用されても、ＩＣタグからの固有の識別情報の読み取りが行えなくなる。
【発明の効果】
【００３０】
本発明の遊技機によれば、ＩＣタグが不正に剥がされたり、ＩＣタグが主要部品、制御基板又は基板ケースのいずれかとともに筐体内部から取り出されたとき、監視手段からの信号レベルが一定値以下になることにより、ＩＣタグの記憶手段により記憶済みの固有の識別情報が自己破棄され、ＩＣタグが不正に使用されても、ＩＣタグからの固有の識別情報の読み取りが行えなくなるようにしたので、ＩＣタグの不正な使用をできなくし、少なくとも基板ケースが筐体内部から不正に取り外されたかどうかの確認や、検査済みのＲＯＭが裏ＲＯＭ又は不正ＲＯＭと呼ばれるものに差し替えられたかどうかの確認、さらには不正な制御基板を収容した基板ケースが現在使用されている基板ケースと不正に差し替えられたかどうかの確認を容易に行うことができる。
【発明を実施するための最良の形態】
【００３１】
本実施形態では、主要部品、制御基板又は基板ケースのいずれかに貼着される、非接触で読み取りが可能な固有の識別情報を記憶する記憶手段であるＩＣチップを有したたとえばＩＣタグシールに、たとえば筐体内部に設けられる監視手段により、ホール内の発信装置からの監視信号を増幅して与えるようにし、ＩＣタグシールが不正に剥がされたり、ＩＣタグシールが主要部品、制御基板又は基板ケースのいずれかとともに筐体内部から取り出されたとき、監視手段からの信号レベルが一定値以下になることで、ＩＣタグシールのＩＣチップにより記憶済みの固有の識別情報が自己破棄され、ＩＣタグシールが不正に使用されても、ＩＣタグシールからの固有の識別情報の読み取りが行えなくなるようにした。
【００３２】
これにより、ＩＣタグシールが不正に使用されても、ＩＣタグシールからの固有の識別情報の読み取りが行えないため、ＩＣタグシールの不正な使用をできなくし、少なくとも基板ケースが筐体内部から不正に取り外されたかどうかの確認や、検査済みのＲＯＭが裏ＲＯＭ又は不正ＲＯＭと呼ばれるものに差し替えられたかどうかの確認、さらには不正な制御基板を収容した基板ケースが現在使用されている基板ケースと不正に差し替えられたかどうかの確認を容易に行える。
【実施例】
【００３３】
以下、本発明の実施例の詳細について説明する。図１は、本発明の遊技機の基板ケースが搭載される回胴式遊技装置の一例を示す斜視図である。
【００３４】
同図に示すように、回胴式遊技装置であるスロットマシン１は、遊技者側に面する、いわゆるフロントマスクを構成する前扉３が略矩形状の箱体である筐体２の開口側に対し図示しない蝶番機構により左側端部側を回動支点として開閉可能に取り付けられている。前扉３は、上パネル部１０と、操作卓部２０と、下パネル部３０とに概ね分けられ、これらは化粧板として視覚効果を高めてデザインされた硬質プラスチックにより一体的に形成されている。
【００３５】
上パネル部１０には、高輝度発光ダイオードを内蔵した上部ランプ１１及びサイドランプ１２ａ，１２ｂが配置され、リーチや大当たり等の際に点灯又は点滅して遊技者の視覚に訴える演出を行っている。また、上パネル部１０には、左右にスピーカを内蔵した演出用放音部１３ａ，１３ｂが設けられ、これらの演出用放音部１３ａ，１３ｂによりゲームの進行に応じて選択される効果音や楽音等による演出が行われる。
【００３６】
さらに、演出用放音部１３ａ，１３ｂの間には、表示窓１４ａが形成されており、その表示窓１４ａから液晶表示部１４ｂが見えるように液晶表示ユニット１４が配置されている。液晶表示ユニット１４は、ゲームの進行に応じて選択された動画像を表示して、当該ゲームにストーリー性を与えたり、また、遊技者に内部当選結果を暗示して期待感を惹起させたりする等の演出を行っている。
【００３７】
また、上パネル部１０の中央には、略長方形の透明な表示窓１５ａと、遊技状態等をランプ表示する情報表示部とが形成されたパネル板１５が取り付けられている。そして、筐体２内に設けられている後述の回胴装置１００の３個の円筒状のリール１０１，１０２，１０３が表示窓１５ａを通して目視されるように構成されている。
【００３８】
すなわち、リール１０１，１０２，１０３の外周面には、所定数（たとえば２１個）の図柄が付された長尺状のプラスチックシートであるリールテープがそれぞれ捲装されて貼り付けられており、表示窓１５ａ側に臨む縦３個、横３列の図柄が表示窓１５ａを通して遊技者側から目視されるようになっている。
【００３９】
操作卓部２０には、ゲームに使用するメダルを投入するための投入口を有するメダル投入部２１、コインをベットするベットボタン２２、ゲームの操作を指示するスタートレバー２３、回胴装置１００のリール１０１，１０２，１０３をストップさせるストップボタン２４ａ，２５ｂ，２５ｃ等が設けられている。
【００４０】
ここで、現状のスロットマシン１では、１ゲームに必要とされるメダルが３枚となっているため、３枚を超えてメダルがメダル投入部２１に連続投入されると、最大５０枚までクレジットされるようになっている。
【００４１】
ベットボタン２２は、スロットマシン１のゲームに賭けるメダルの枚数を提示するための押圧式の操作スイッチであり、ＭＡＸベットボタンと呼ばれている。すなわち、メダルがクレジットされているとき、ゲーム開始時にベットボタン２２を操作すると、そのクレジットされているメダルのうち３枚がベットされるようになっている。
【００４２】
スタートレバー２３は、回胴装置１００のリール１０１，１０２，１０３を一斉に回転させる指示をするためのレバースイッチであり、先端に設けられている球形の操作ノブを上下左右のいずれかの方向に傾倒操作するとオン作動し、その操作ノブから手が離されるとスプリングの付勢力によって自動的に元の位置に戻ってオフするように構成されている。
【００４３】
ストップボタン２４ａ，２５ｂ，２５ｃは、回胴装置１００のリール１０１，１０２，１０３の回転停止を個別に指示するための押圧式スイッチであり、各リール１０１，１０２，１０３の配列に対応してそれぞれ並設されている。
【００４４】
また、操作卓部２０には、鍵穴２５を有する図示しない施錠装置が設けられている。そして、ホールスタッフ等がメンテナンス作業や出玉管理作業等を行う場合、その施錠装置の鍵穴２５に専用鍵を差し込んでロックを解除すると、図２のように前扉３が左端部側を支点として片開きされ、筐体２の開口が開放されるようになっている。
【００４５】
下パネル部３０には、スロットマシン１のモデルタイプ等を遊技者へ認識させるための、たとえば登場キャラクターの絵等を表示するパネル３１が設けられている。また、このパネル３１には、ある組合、たとえばスロットのメーカーによる組合によっての検査済みを示す証紙５０が貼着されている。なお、証紙５０には、固有の識別情報を示す数字等の文字による本体製造番号（又は主基板番号）が印刷によって付されている。なお、証紙５０には、その固有の識別情報を示す後述のＱＲコード等が印刷によって付されていてもよい。
【００４６】
下パネル部３０の下部には、メダルを貯留するための受皿部を形成する受皿ユニット４０が設けられている。受皿ユニット４０には、入賞時等においてメダルを排出するメダル排出口４１と、後述するスピーカ６１ａ，６１ｂを内蔵しゲームの進行に応じて演出効果音を発生させる演出効果音部４２ａ，４２ｂと、灰皿４３とがそれぞれ配設されている。
【００４７】
図２は、図１の回胴式遊技装置であるスロットマシン１の内部構成を示す正面図である。なお、図２は、前扉３を筐体２から開けた状態を表している。同図において、前扉３の裏面上部には、上部ランプ１１の光源である高輝度発光ダイオード６０が配列されるとともに、上述の演出用放音部１３ａ、１３ｂに対向してスピーカ６１ａ，６１ｂが取り付けられている。
【００４８】
また、図２には示されてはいないがスピーカ６１ａ，６１ｂの間に上述した液晶表示ユニット１４が位置しており、その液晶表示部１４ｂが表示窓１４ａに向けて取り付けられている。さらに、液晶表示部１４ｂの裏面側に、サブ制御基板ユニット３００が取り付けられている。このサブ制御基板ユニット３００は、硬質プラスチックのケースに図示しないサブ制御基板を収容したものである。
【００４９】
このサブ制御基板ユニット３００に収容されたサブ制御基板は、後述の主制御基板２２０からの演出開始を示唆する制御信号を受け取ると、上述の液晶表示部１４ｂによる動画像等の表示と、上述の上部ランプ１１及びサイドランプ１２ａ，１２ｂによる点滅又は点灯によっての演出と、上述の演出用放音部１３ａ，１３ｂによる効果音や楽音等による演出とが行われるようになっている。サブ制御基板ユニット３００の下方には、筐体２側のリール１０１，１０２，１０３を目視させるための表示窓１５ａを有するパネル板１６が取り付けられている。
【００５０】
パネル板１６の下方には、中央表示制御基板ユニット４００が取り付けられている。この中央表示制御基板ユニット４００は、硬質プラスチックのケースに図示しない中央表示制御基板を収容したものである。また、この図示しない中央表示制御基板には、上述した操作卓部２０に設けられているベットボタン２２、スタートレバー２３、ストップボタン２４ａ，２５ｂ，２５ｃ等のスイッチ類が電気的に接続されており、これらスイッチ類の出力信号が筐体２側の後述の主制御基板２２０に転送されるように配線接続されている。
【００５１】
中央表示制御基板ユニット４００の下方には、上述のメダル投入部２１より投入される投入物を正規のメダルか異物かを判別して振り分けるセレクト機構６２と、このセレクト機構６２によって振り分けられたメダルを筐体２内に設けられているホッパ装置６６へ案内するガイド部材６３と、セレクト機構６２で振り分けられた異物を上述のメダル排出口４１へ案内するガイド部材６４とが設けられている。また、メダル排出口４１の両側には、上述した演出効果音部４２ａ，４２ｂに対向してスピーカ６５ａ，６５ｂが取り付けられており、これにより上述した演出用放音部４２ａ，４２ｂを介して演出効果音を出力するように構成されている。
【００５２】
一方、筐体２内の上部には、主制御基板ユニット２００が取り付けられている。この主制御基板ユニット２００は、硬質プラスチックのケースにスロットマシン１の全体動作を集中制御する後述の主制御基板２２０を収容したものであるが、その詳細については後述する。なお、図中符号２５０は基板ケースシール、符号２５５は管理票をそれぞれ示している。これら基板ケースシール２５０及び管理票２５５の詳細についても後述する。
【００５３】
主制御基板ユニット２００の近傍には、ホール内の図示しない発信装置からの監視信号を増幅して後述のＩＣタグシール２７０に与える監視手段としての監視装置２７６が設けられている。なお、監視装置２７６からＩＣタグシール２７０に与える監視信号は、常時、出力されるようにすることが好ましい。これは、ホールでの営業時間以外のたとえば夜間時等において、後述の上蓋ケース２３０が不正に開けられて検査済みの後述の１チップＲＯＭ２２１が裏ＲＯＭ又は不正ＲＯＭと呼ばれるものに差し替えられたり、あるいは基板ケースが筐体内部から不正に取り外されて持ち去られてしまったりする場合があるためである。
【００５４】
このように、監視信号を常時、出力されるようにしておくことで、営業時間以外のたとえば夜間時等において、このような不正があったとしても、その監視信号の信号レベルが一定値以下になることで、ＩＣタグシール２７０のＩＣチップ２７１により記憶済みの固有の識別情報が自己破棄され、ＩＣタグシール２７０の不正使用を防ぐことができる。
【００５５】
ここで、監視装置２７６と後述のＩＣタグシール２７０とは、ＩＣタグシール２７０が筐体２の内部から不正に取り出されない限り、常に一定の距離を有している。そのため、後述のＩＣタグシール２７０のＩＣチップ２７１は、監視装置２７６からの増幅された監視信号を一定のレベルで受け取ることになり、監視装置２７６から所定距離（たとえば数十ｃｍ程度）だけ離されてしまうと、記憶済みの固有の識別情報が自己破棄されるが、その詳細については後述する。
【００５６】
主制御基板ユニット２００の下方には、リール１０１，１０２，１０３を有する回胴装置１００が取り付けられている。この回胴装置１００は、前扉３が筐体２側に閉じられると表示窓１５ａにリール１０１，１０２，１０３が対向するように、筐体２の所定フレーム（符号略）に位置決めして取り付けられている。なお、これらのリール１０１，１０２，１０３は、図示しないステッピングモータの駆動軸に取り付けられ、同じく図示しない回胴装置基板によってステッピングモータの駆動が制御されるようになっている。
【００５７】
回胴装置１００の下方には、ホッパ装置６６と、ホッパ装置６６から溢れたメダルを収容するための補助貯留部６７と、主電源装置６８とが設けられている。主電源装置６８の側面には、いわゆる配電盤に相当する図示しない電源装置基板が設けられている。また、筐体２の内壁の一端には、ホール等に設置されている「ホールコンピュータ」と呼ばれる管理用コンピュータと接続可能な図示しない外部集中端子基板が取り付けられている。
【００５８】
図３は、上述した主制御基板２２０を組み込んだ主制御基板ユニット２００を説明するための分解斜視図である。同図に示す主制御基板ユニット２００は、ブラケット部材２４０を介して筐体２の背面側に取り付けられるようになっている。また、主制御基板ユニット２００は、硬質プラスチックよりなる本体ケース２１０と上蓋ケース２３０とを有し、これらの本体ケース２１０と上蓋ケース２３０との間に主制御基板２２０を収容している。
【００５９】
ブラケット部材２４０は、主として係合凹部２４１ａを有するリブ部２４１と、係止アーム２４２とを有し、これらによって主制御基板ユニット２００が保持されるようになっている。また、ブラケット部材２４０には、接続部材２０１を用いて上蓋ケース２３０を結合する封止筒部２４３が設けられている。また、ブラケット部材２４０には、筐体２の背面側に取り付けられるためのねじが挿入される複数のねじ穴２４４が設けられている。
【００６０】
一方、本体ケース２１０は、前面が開放する略矩形の箱体として透明なプラスチックで一体形成したものであり、その底板部に小ねじを介して主制御基板２２０が結合固定される。また、本体ケース２１０の上側壁には、上蓋ケース２３０とヒンジ結合するためのヒンジ軸部２１１が所定の間隔をおいて３カ所に形成されている。また、下側壁には、係止穴を有する２本の係止アーム２１２と、上蓋ケース２３０をカシメ結合する封止筒部２１３が４カ所に形成されている。また、本体ケース２１０には、主制御基板２２０の後述のねじ挿通穴２２６に挿通される図示しないねじを介して主制御基板２２０を取り付けるためのねじ穴を有する取付部としてのリブ２１４が設けられている。
【００６１】
ここで、ブラケット部材２４０と本体ケース２１０との間には、主基板番号等のＩＣタグ識別情報を記憶しているＩＣチップ２７１等を有したＩＣタグシール２７０が貼着されているが、その詳細については後述する。
【００６２】
主制御基板２２０には、ＭＰＵ、ＲＯＭ、ＲＡＭ等が１チップ化されたＩＣチップ（以下、１チップＲＯＭという）２２１やＲＡＭ等のＩＣチップ２２２，２２３等が実装されている。ここで、１チップＲＯＭ２２１は検査済みである正規のＲＯＭであり、その１チップＲＯＭ２２１にはシステムプログラムやスロットマシンゲーム用のプログラム等が書き込まれている。そのため、１チップＲＯＭ２２１は定期的な検査等のために基板上の図示しないコネクタに着脱自在となるように装着されている。また、主制御基板２２０には、スロットマシン１に内蔵される他の制御回路基板、及び電子機器と電気的に接続するための基板側コネクタ２２４，２２５が実装されている。
【００６３】
また、主制御基板２２０には、基板ケースシール２５０が貼着されている。ここで、基板ケースシール２５０の表面側には、後述のように、数字等の文字による固有の識別情報である本体製造番号（又は主基板番号）と、その固有の識別情報を示すたとえば二次元コードのＱＲコード２５１とが印刷によって付されている。なお、その固有の識別情報を示すものとして、ＱＲコード２５１に限らず、一次元コードであってもよいし、ビットマップによる識別記号であってもよい。また、ＱＲコード２５１の詳細については後述する。
【００６４】
そして、この基板ケースシール２５０のＱＲコード２５１は後述の読取装置５００によって読み取られた後、その読取装置５００によって所定の四則算による演算（たとえば加、減、乗、除のいずれか）が行われ、その演算結果が後述のＩＣタグシール２７０のタグであるインレット２７３に送信され、さらにインレット２７３のＩＣチップ２７１からの返信を受けて固有の識別情報の一致又は不一致を確認できるようになっているが、その詳細についても後述する。
【００６５】
また、インレット２７３のＩＣチップ２７１は、上述したように、筐体２の内部から不正に取り出されない限り、筐体２の内部に設けられている監視装置２７６と常に一定の距離を有している。そのため、ＩＣタグシール２７０のＩＣチップ２７１は、監視装置２７６からの増幅された監視信号を一定のレベルで受け取ることになり、監視装置２７６から所定距離（たとえば数十ｃｍ程度）だけ離されてしまうと、ＩＣチップ２７１が記憶済みの固有の識別情報を自己破棄するようになっている。この場合、ＩＣチップ２７１は、後述のように、たとえば「００ｈ  ００ｈ  ００ｈ・・・」等のような所定の文字列を自己の記憶領域に書き込むようになっている。
【００６６】
上蓋ケース２３０は、透明なプラスチックにより一体的に形成された略矩形の蓋体であり、上側壁に本体ケース２１０のヒンジ軸部２１１と位置整合されたヒンジ軸受部２３１が形成されている。また、上蓋ケース２３０には、本体ケース２１０の封止筒部２１３と位置整合された封止キャップ部２３２が形成されている。また、上蓋ケース２３０には、ブラケット部材２４０の封止筒部２４３と位置整合された封止キャップ部２３３が形成されている。また、上蓋ケース２３０には、上述の基板側コネクタ２２４，２２５と位置整合されたコネクタ開口部２３４，２３５が形成されている。
【００６７】
また、上蓋ケース２３０には、主制御基板２２０側に向けて窪ませた凹部２３６が形成されている。この凹部２３６の底面部２３７は、主制御基板２２０との間で基板ケースシール２５０を密着させるが、その詳細については後述する。また、上蓋ケース２３０には、管理票２５５が貼着されている。この管理票２５５には、数字等の文字による固有の識別情報である本体製造番号（又は主基板番号）等が印刷によって付されている。なお、管理票２５５には、上述した固有の識別情報を示すたとえば二次元コードのＱＲコード２５１が付されていてもよい。
【００６８】
そして、カシメ状態で結合する接続部材２０１を、上蓋ケース２３０の封止キャップ部２３２と本体ケース２１０の封止筒部２１３とに装着することで、上蓋ケース２３０が本体ケース２１０に結合されるようになっている。また、その接続部材２０１を、上蓋ケース２３０の封止キャップ部２３３とブラケット部材２４０の封止筒部２４３とに装着することで、上蓋ケース２３０がブラケット部材２４０に結合されるようになっている。このようにして、主制御基板２２０を組み込んだ主制御基板ユニット２００がブラケット部材２４０を介し筐体２の背面側に取り付けられることになる。
【００６９】
図４は、上述した基板ケースシール２５０の貼着状態の詳細を説明するための図である。ここで、図４（ａ）は図４（ｂ）に示す基板ケースシール２５０を横から見た場合を示し、図４（ｂ）は図３の主制御基板ユニット２００をＡ−Ａ線に沿って見た場合に相当し、図４（ｃ）は図４（ｂ）の上蓋ケース２３０を上方から見た場合を示している。
【００７０】
まず、図４（ａ）に示すように、基板ケースシール２５０の表裏面には、接着層２５４ａ，２５４ｂが設けられている。なお、接着層２５４ａ，２５４ｂの代わりに、接着剤を塗布するようにしてもよい。
【００７１】
また、図４（ａ）では、基板ケースシール２５０の表面の半分に接着層２５４ａが設けられ、基板ケースシール２５０の半分に接着層２５４ｂが設けられている場合を示しているが、基板ケースシール２５０の表裏面の全域に接着層２５４ａ，２５４ｂを設けてもよい。なお、図４（ａ）のように、基板ケースシール２５０の表裏面に半分ずつ接着層２５４ａ，２５４ｂが設けられるようにすることで、特に、基板ケースシール２５０の裏面側を一旦、主制御基板２２０上に貼着してからその貼着位置を変える場合、その裏面側の接着層２５４ｂが設けられていない部分を浮かして主制御基板２２０上から剥がすことができる。
【００７２】
このような基板ケースシール２５０は、図４（ｂ），（ｃ）に示すように、上蓋ケース２３０の主制御基板２２０側に向けて窪ませた凹部２３６の底面部２３７と主制御基板２２０との間に密着して挟持されるとともに、基板ケースシール２５０の裏面が接着層２５４ｂによって主制御基板２２０上に貼着され、基板ケースシール２５０の表面が接着層２５４ａを介して凹部２３６の底面部２３７に貼着される。
【００７３】
また、上蓋ケース２３０は、上述したように、上蓋ケース２３０の封止キャップ部２３２と本体ケース２１０の封止筒部２１３とに接続部材２０１を装着することで、上蓋ケース２３０が本体ケース２１０に結合される。
【００７４】
このようなことから、上蓋ケース２３０を本体ケース２１０から取り外さない限り、基板ケースシール２５０に剥離剤等を流し込めなくなるため、基板ケースシール２５０の剥離が困難となる。この場合、その基板ケースシール２５０の不正な再利用が行われ難くなるため、たとえば上蓋ケース２３０が不正に開けられて検査済みの１チップＲＯＭ２２１が裏ＲＯＭ又は不正ＲＯＭと呼ばれるものに差し替えられた後、精巧な偽造シールが貼着されてしまっても、たとえば基板ケースシール２５０の痕跡等から、上蓋ケース２３０が不正に開けられたかどうかを容易に確認することができる。
【００７５】
また、この場合、予め上蓋ケース２３０に精巧な偽造シールが貼着され、さらに不正な制御基板が収容された基板ケースが現在使用されている主制御基板ユニット２００と不正に差し替えられたりしても、上記同様に、たとえば基板ケースシール２５０の痕跡等から、主制御基板ユニット２００の不正な差し替えを容易に確認することができる。
【００７６】
なお、ここでは、基板ケースシール２５０が主制御基板２２０に貼着されるとともに、上蓋ケース２３０の主制御基板２２０側に向けて窪ませた凹部２３６の底面部２３７と主制御基板２２０との間に密着して挟持されるようにした場合について説明したが、上述した管理票２５５も同様に主制御基板２２０に貼着し、上蓋ケース２３０に凹部２３６と同様の凹部を設け、その凹部の底面部と主制御基板２２０との間に管理票２５５を密着して挟持させるようにしてもよい。
【００７７】
図５は、ロムシールを検査済みの１チップＲＯＭ２２１に貼着した場合の詳細を説明するための図である。ここで、図５（ａ）は図５（ｂ）に示すロムシールを横から見た場合を示し、図５（ｂ）は図３の主制御基板ユニット２００をＡ−Ａ線に沿って見た場合に相当し、図５（ｃ）は図５（ｂ）の上蓋ケース２３０を上方から見た場合を示している。
【００７８】
まず、図５（ａ）に示すように、ロムシール２６０の表裏面には、接着層２６４ａ，２６４ｂが設けられている。なお、接着層２６４ａ，２６４ｂの代わりに、接着剤を塗布するようにしてもよい。また、図５（ａ）では、部分的に接着層２６４ａ，２６４ｂが設けられている場合を示しているが、ロムシール２６０の表裏面の全域に接着層２６４ａ，２６４ｂを設けてもよい。
【００７９】
このようなロムシール２６０は、図５（ｂ），（ｃ）に示すように、上蓋ケース２３０の１チップＲＯＭ２２１側に向けて窪ませた凹部２３８の底面部２３９と１チップＲＯＭ２２１との間に密着して挟持されるとともに、ロムシール２６０の裏面が接着層２６４ｂによって１チップＲＯＭ２２１の側面と主制御基板２２０上に貼着され、ロムシール２６０の表面が接着層２６４ａを介して凹部２３８の底面部２３９に貼着される。
【００８０】
また、上蓋ケース２３０は、上述したように、上蓋ケース２３０の封止キャップ部２３２と本体ケース２１０の封止筒部２１３とに接続部材２０１を装着することで、上蓋ケース２３０が本体ケース２１０に結合される。
【００８１】
このようなことから、上蓋ケース２３０を本体ケース２１０から取り外さない限り、上記同様に、ロムシール２６０に剥離剤等を流し込めなくなるため、ロムシール２６０の剥離が困難となる。この場合、そのロムシール２６０の不正な再利用が行われ難くなるため、たとえば上蓋ケース２３０が不正に開けられて検査済みの１チップＲＯＭ２２１が裏ＲＯＭ又は不正ＲＯＭと呼ばれるものに差し替えられた後、精巧な偽造シールが貼着されてしまっても、ロムシール２６０の接着層２６４ａ，２６４ｂの引き剥がしによる痕跡等から上蓋ケース２３０が不正に開けられたかどうかを容易に確認することができる。
【００８２】
また、この場合、予め上蓋ケース２３０に精巧な偽造シールが貼着され、さらに不正な制御基板が収容された基板ケースが現在使用されている主制御基板ユニット２００と不正に差し替えられたりしても、上記同様に、ロムシール２６０の引き剥がしによる痕跡等から主制御基板ユニット２００の不正な差し替えを容易に確認することができる。
【００８３】
また、上述したように、基板ケースシール２５０又はロムシール２６０を上蓋ケース２３０の凹部２３６，２３８の底面部２３７，２３９と主制御基板２２０又は１チップＲＯＭ２２１との間に密着させて挟持させることに併せ、たとえば図６に示すように、主制御基板２２０と上蓋ケース２３０との間に隙間が生じないようにすることでも、基板ケースシール２５０又はロムシール２６０への剥離剤等の流し込みを困難とさせることに有効である。
【００８４】
ここで、図６（ａ）は図３の主制御基板ユニット２００をＡ−Ａ線に沿って見た場合に相当し、図６（ｂ）は図６（ａ）のＢ−Ｂ線に沿って見た場合を示している。この場合、図６（ａ）に示すように、主制御基板２２０は、上蓋ケース２３０に設けられたねじ穴を有する取付部としてのリブ２３９ａに取り付けるようにする。また、上蓋ケース２３０の周囲は、少なくとも主制御基板２２０の取り付け位置より突出するようにする。この場合、上蓋ケース２３０と主制御基板２２０との間に隙間が生じないようにすれば、なお好ましい。
【００８５】
このようにすることで、上蓋ケース２３０と本体ケース２１０との間がこじ開けられて、その間に隙間が生じても、たとえばロムシール２６０への剥離剤等の流し込みを困難とさせることができる。また、図６（ｂ）に示すように、上蓋ケース２３０と主制御基板２２０との間に隙間が生じないようにした場合は、さらにロムシール２６０への剥離剤等の流し込みを困難とさせることができる。なお、ロムシール２６０にあっては、上述した固有の識別情報を示すたとえば二次元コードのＱＲコードが付されていてもよい。
【００８６】
図７は、上述したＩＣタグシール２７０の貼着状態の詳細を説明するための図である。ここで、図７（ａ）は図７（ｂ）に示すＩＣタグシール２７０を横から見た場合を示し、図７（ｂ）は図３の主制御基板ユニット２００をＡ−Ａ線に沿って見た場合を示している。
【００８７】
まず、図７（ａ）に示すように、ＩＣタグシール２７０の裏面側、すなわち、ブラケット部材２４０に接する側の面には、本体製造番号（又は主基板番号）等の固有の識別情報を記憶している微小なＩＣチップ２７１や箔状アンテナ２７２をセロハン等でパッキングしたタグであるインレット２７３が貼着されている。このＩＣタグシール２７０のＩＣチップ２７１に対し、後述の読取装置５００によって読み取りが行われるとき、まず読取装置５００からインレット２７３に演算結果が送られ、その演算結果に応じてＩＣチップ２７１から読取装置５００に返信が行われるが、その詳細については後述する。
【００８８】
なお、ＩＣタグシール２７０には、後述のように、固有の識別情報を示すたとえば二次元コードのＱＲコード２７５が付されていてもよい。また、ＩＣタグシール２７０の表裏面には、接着層２７４ａ，２７４ｂが設けられている。なお、接着層２７４ａ，２７４ｂの代わりに、接着剤を塗布するようにしてもよい。このようなＩＣタグシール２７０は、図７（ｂ）に示すように、本体ケース２１０の背面側とブラケット部材２４０との間に密着状態で貼着される。
【００８９】
このように、ＩＣタグシール２７０を本体ケース２１０の背面側とブラケット部材２４０との間に貼着することで、ＩＣタグシール２７０が主制御基板ユニット２００の背面側に位置しているため、不正を行う者に対してＩＣタグシール２７０の存在を分からないようにすることができる。また、たとえＩＣタグシール２７０の存在が知られたとしても、ＩＣタグシール２７０が主制御基板ユニット２００の背面側に位置していることから、ＩＣタグシール２７０に剥離剤等を流し込めなくなるため、ＩＣタグシール２７０の剥離が困難となる。
【００９０】
また、主制御基板ユニット２００がブラケット部材２４０から不正に取り外されると、微小なＩＣチップ２７１や箔状アンテナ２７２をセロハン等でパッキングしたインレット２７３がＩＣタグシール２７０の裏面の接着層２７４ｂの引き剥がしによって破壊される。
【００９１】
この場合、ＩＣタグシール２７０の不正な再利用ができなくなるとともに、ＩＣタグシール２７０の表裏面の接着層２７４ａ，２７４ｂの引き剥がしによる痕跡が残されるため、主制御基板ユニット２００のブラケット部材２４０からの不正な取り外しを容易に確認することができる。
【００９２】
このようなことから、たとえば主制御基板ユニット２００がブラケット部材２４０から不正に取り外された後、たとえば上蓋ケース２３０が不正に開けられて検査済みの１チップＲＯＭ２２１が裏ＲＯＭ又は不正ＲＯＭと呼ばれるものに差し替えられ、精巧な偽造シールが貼着されて、再度、ブラケット部材２４０に取り付けられても、ＩＣタグシール２７０の引き剥がしによる痕跡等の確認や、インレット２７３の微小なＩＣチップ２７１からのＩＣタグ識別情報の読み取りを行うことで、たとえば主制御基板ユニット２００がブラケット部材２４０から不正に取り外されたことを容易に確認することができる。
【００９３】
同様に、予め上蓋ケース２３０に精巧な偽造シールが貼着され、さらに不正な制御基板が収容された基板ケースが現在使用されている主制御基板ユニット２００と不正に差し替えられたりしても、ＩＣタグシール２７０の引き剥がしによる痕跡等の確認や、インレット２７３の微小なＩＣチップ２７１からのＩＣタグ識別情報の読み取りを行うことで、たとえば主制御基板ユニット２００がブラケット部材２４０から不正に取り外されたことを容易に確認することができる。
【００９４】
なお、主制御基板ユニット２００が上述したブラケット部材２４０を介さずに、直接、筐体２の内面に取り付けられる場合がある。この場合には、図８に示すように、主制御基板ユニット２００と筐体２の取付面との間にＩＣタグシール２７０が貼着されるようにする。
【００９５】
ここで、図８（ａ）は図８（ｂ）に示すＩＣタグシール２７０を横から見た場合を示し、図８（ｂ）は図３の主制御基板ユニット２００をＡ−Ａ線に沿って見た場合を示している。
【００９６】
すなわち、図８（ａ）に示すように、ＩＣタグシール２７０の裏面側、すなわち、筐体２の取付面に接する側の面には、上記同様に、主基板番号等のＩＣタグ識別情報を記憶している微小なＩＣチップ２７１や箔状アンテナ２７２をセロハン等でパッキングしたタグであるインレット２７３が貼着されている。また、ＩＣタグシール２７０の表裏面には、接着層２７４ａ，２７４ｂが設けられている。このようなＩＣタグシール２７０は、図８（ｂ）に示すように、本体ケース２１０の背面側と筐体２の取付面との間に密着状態で貼着される。
【００９７】
このように、ＩＣタグシール２７０を本体ケース２１０の背面側と筐体２の取付面との間に貼着することで、ＩＣタグシール２７０が主制御基板ユニット２００の背面側に位置しているため、上記同様に、不正を行う者に対してＩＣタグシール２７０の存在を分からないようにすることができる。また、たとえＩＣタグシール２７０の存在が知られたとしても、ＩＣタグシール２７０が主制御基板ユニット２００の背面側に位置していることから、上記同様に、ＩＣタグシール２７０に剥離剤等を流し込めなくなるため、ＩＣタグシール２７０の剥離が困難となる。
【００９８】
また、主制御基板ユニット２００が筐体２の取付面から不正に取り外されると、微小なＩＣチップ２７１や箔状アンテナ２７２をセロハン等でパッキングしたインレット２７３がＩＣタグシール２７０の裏面の接着層２７４ｂの引き剥がしによって破壊される。
【００９９】
この場合、ＩＣタグシール２７０の不正な再利用ができなくなるとともに、ＩＣタグシール２７０の表裏面の接着層２７４ａ，２７４ｂの引き剥がしによる痕跡が残されるため、主制御基板ユニット２００の筐体２の取付面からの不正な取り外しを容易に確認することができる。
【０１００】
このようなことから、たとえば主制御基板ユニット２００が筐体２の取付面から不正に取り外された後、たとえば上蓋ケース２３０が不正に開けられて検査済みの１チップＲＯＭ２２１が裏ＲＯＭ又は不正ＲＯＭと呼ばれるものに差し替えられ、精巧な偽造シールが貼着されて、再度、筐体２の取付面に取り付けられても、ＩＣタグシール２７０の引き剥がしによる痕跡等の確認や、インレット２７３の微小なＩＣチップ２７１からのＩＣタグ識別情報の読み取りを行うことで、たとえば主制御基板ユニット２００が筐体２の取付面から不正に取り外されたことを容易に確認することができる。
【０１０１】
同様に、予め上蓋ケース２３０に精巧な偽造シールが貼着され、さらに不正な制御基板が収容された基板ケースが現在使用されている主制御基板ユニット２００と不正に差し替えられたりしても、ＩＣタグシール２７０の引き剥がしによる痕跡等の確認や、インレット２７３の微小なＩＣチップ２７１からのＩＣタグ識別情報の読み取りを行うことで、たとえば主制御基板ユニット２００が筐体２の取付面から不正に取り外されたことを容易に確認することができる。
【０１０２】
なお、ＩＣタグシール２７０にあっては、上述したように、本体ケース２１０の背面側に貼着されれば、たとえば主制御基板ユニット２００が筐体２の取付面から不正に取り外されたことを容易に確認することができるとした効果があるが、これに限らず、そのＩＣタグシール２７０を上蓋ケース２３０、主制御基板２２０、１チップＲＯＭ２２１等に貼着しておいてもよい。
【０１０３】
図９及び図１０は、上述した固有の識別情報を読み取る読取装置の一例を示す図である。ここで、図９は読取装置の外観を示す図、図１０は図９の読取装置の内部構成を示すブロック図である。
【０１０４】
まず、図９に示すように、読取装置５００は、ハンディタイプであり、少なくともタグ情報読取部５０１と、識別情報読取部５０１ａと、スピーカ５０２と、表示部５０３と、ランプ（ＬＥＤ）５０３ａ，５０３ｂと、操作部５０４と、廃棄ボタン５０４ｃと、書換ボタン５０４ｄとを有している。タグ情報読取部５０１は、無線通信によってＩＣタグシール２７０のＩＣチップ２７１の固有の識別情報を読み取るものである。ここで、その通信方式としては、静電結合方式、電磁結合方式、電磁誘導結合方式、マイクロ波方式、光方式のいずれかを用いることができる。
【０１０５】
識別情報読取部５０１ａは、たとえば基板ケースシール２５０の本体製造番号（又は主基板番号）等の固有の識別情報を示すＱＲコード２５１やＩＣタグシール２７０の本体製造番号（又は主基板番号）等の固有の識別情報を示すＱＲコード２７５等を、光スキャンによって読み取るものである。
【０１０６】
スピーカ５０２は、たとえばタグ情報読取部５０１又は識別情報読取部５０１ａによる読取完了を音声によって知らせるものである。なお、タグ情報読取部５０１又は識別情報読取部５０１ａによる読取エラーが生じた場合に、スピーカ５０２からエラー音が出力されるようにしてもよい。表示部５０３は、識別情報読取部５０１ａによって読み取られた固有の識別情報、後述のＣＰＵ５１２による演算結果、ＩＣタグシール２７０のＩＣチップ２７１からの返信内容等を表示するものである。
【０１０７】
すなわち、たとえば基板ケースシール２５０のＱＲコード２５１やＩＣタグシール２７０のＱＲコード２７５がたとえばアスキーコードを用いたものであって、その内容が「１２３／５６７８」とした本体製造番号であるとき、識別情報読取部５０１ａによっていずれかのＱＲコード２５１，２７５が読み取られると、アスキーコードの「３１ｈ  ３２ｈ  ３３ｈ  ２Ｆｈ  ３５ｈ  ３６ｈ  ３７ｈ  ３８ｈ」が表示されることになる。
【０１０８】
また、ＩＣタグシール２７０のＩＣチップ２７１には、アスキーコードの「３１ｈ  ３２ｈ  ３３ｈ  ２Ｆｈ  ３５ｈ  ３６ｈ  ３７ｈ  ３８ｈ」の全てをたとえば加算した「０１Ａ１ｈ」が固有の識別情報として記憶されているものとする。この場合、ＩＣタグシール２７０のＩＣチップ２７１に記憶されるデータは、アスキーコードの全てがたとえば加算によって圧縮されたものとなる。なお、基板ケースシール２５０のＱＲコード２５１やＩＣタグシール２７０のＱＲコード２７５にあっては、アスキーコードに限らず、ＪＩＳコード等の他のコードであってもよい。この場合、ＩＣタグシール２７０のＩＣチップ２７１の固有の識別情報をＪＩＳコード等の他のコードに合わせるようにすればよい。
【０１０９】
ここで、後述のＣＰＵ５１２による演算を、アスキーコードの「３１ｈ  ３２ｈ  ３３ｈ  ２Ｆｈ  ３５ｈ  ３６ｈ  ３７ｈ  ３８ｈ」の全てをたとえば加算するものとしたとき、その演算結果の「０１Ａ１ｈ」が表示されることになる。そして、その演算結果の「０１Ａ１ｈ」がＩＣタグシール２７０のタグであるインレット２７３に送信されると、ＩＣチップ２７１によるたとえば「０１Ａ１ｈ」−「０１Ａ１ｈ」とした減算処理による「０」が返信され、その「０」が表示されることになる。
【０１１０】
ここで、たとえば表示部５０３に表示されるＩＣチップ２７１からの返信内容の「０」を確認することで、たとえば基板ケースシール２５０のＱＲコード２５１からの固有の識別情報と、ＩＣタグシール２７０のＩＣチップ２７１に記憶されている固有の識別情報とが一致しているかどうかを確認することができ、少なくとも基板ケースシール２５０やＩＣタグシール２７０が偽造シールに貼り替えられたかどうかを認識できる。なお、上述した管理票２５５、ロムシール２６０、証紙５０に本体製造番号（又は主基板番号）を示すＱＲコードを付しておいて、上記同様に、そのＱＲコードを読み取り、その演算結果をＩＣタグシール２７０のタグであるインレット２７３に送信し、ＩＣチップ２７１からの返信内容を確認することで、少なくとも管理票２５５、ロムシール２６０、証紙５０が偽造シールに貼り替えられたかどうかを認識できる。
【０１１１】
また、表示部５０３に表示されるＩＣチップ２７１からのそれぞれの返信内容を確認することで、上述した検査済みの１チップＲＯＭ２２１が裏ＲＯＭ又は不正ＲＯＭと呼ばれるものに不正に差し替えられていないかどうか、あるいは不正な主制御基板が収容された基板ケースが現在使用されている主制御基板ユニット２００と不正に差し替えられていないかどうかを容易に検査することができる。
【０１１２】
一方、ＩＣタグシール２７０のＩＣチップ２７１からの固有の識別情報の読み取りが行われなかったり、ＩＣチップ２７１からの返信内容がたとえば「０」で無かったりした場合は、少なくとも主制御基板ユニット２００が不正に取り外されたことを認識できる。
【０１１３】
また、たとえば基板ケースシール２５０のＱＲコード２５１からの固有の識別情報と、ＩＣタグシール２７０のＩＣチップ２７１からの固有の識別情報との読み取りは、ハンディタイプの読取装置５００により非接触で行われるため、少なくとも一日に一回は行われるたとえば主制御基板２２０上の各電子素子等の状態の確認作業に併せた上述の検査を容易に行うことができる。
【０１１４】
ランプ（ＬＥＤ）５０３ａ，５０３ｂは、たとえばＩＣタグシール２７０のＩＣチップ２７１から返信内容が正解（たとえば「０」である場合）であるかどうかを点灯又は点滅によって表示するものである。すなわち、ランプ（ＬＥＤ）５０３ａが青で発光し、ランプ（ＬＥＤ）５０３ｂが赤で発光するものとする。ここで、ＩＣタグシール２７０のＩＣチップ２７１から返信内容がたとえば「０」であるとき、ランプ（ＬＥＤ）５０３ａが点灯又は点滅する。一方、ＩＣタグシール２７０のＩＣチップ２７１から返信内容がたとえば「０」以外であるとき、ランプ（ＬＥＤ）５０３ｂが点灯又は点滅する。これらのランプ（ＬＥＤ）５０３ａ，５０３ｂの点灯又は点滅から上述の検査の結果を容易に確認できる。
【０１１５】
操作部５０４は、図１０に示すように、少なくともＩＣタグシール２７０のＩＣチップ２７１の固有の識別情報を読み取る際に操作されるタグ情報読取キー５０４ａと、たとえば基板ケースシール２５０のＱＲコード２５１やＩＣタグシール２７０のＱＲコード２７５等を読み取る際に操作される識別情報読取キー５０４ｂとを有している。
【０１１６】
廃棄ボタン５０４ｃは、ＩＣタグシール２７０のＩＣチップ２７１に記憶されている上述した固有の識別情報を破棄する際に操作されるものである。すなわち、ＩＣタグシール２７０のＩＣチップ２７１に上述した「０１Ａ１ｈ」が記憶されているとき、廃棄ボタン５０４ｃの操作によってそのＩＣチップ２７１の内容が、たとえば「００ｈ  ００ｈ  ００ｈ・・・」等のように書き換えられることで、ＩＣチップ２７１の内容が破棄される。これにより、たとえばホール等において、新台入れ替え等が行われるとき、廃棄業者等に引き渡されることになるが、その引き渡し前にＩＣチップ２７１の内容を破棄しておくことにより、既存の遊技機がたとえば廃棄業者を介して一般市場等に出回ってしまい、そのＩＣタグシール２７０が剥がされてしまっても、不正な使用が行えなくなる。なお、廃棄ボタン５０４ｃは、上述したＩＣタグシール２７０のＩＣチップ２７１からの固有の識別情報の読み取りによる確認が正しいときに限り、その操作が有効となっている。
【０１１７】
書換ボタン５０４ｄは、たとえば既存の遊技機が他のホール等に中古品として引き渡されるとき、ＩＣチップ２７１の内容を書き換えるために操作されるものである。すなわち、ＩＣタグシール２７０のＩＣチップ２７１には、上述した本体製造番号（又は主基板番号）を示す固有の識別情報以外に、設置ホール識別番号等が記載されているものとする。この場合、書換ボタン５０４ｄを操作することで、ＩＣチップ２７１の設置ホール識別番号等を書き換えるようにすることができる。
【０１１８】
なお、ＩＣチップ２７１の設置ホール識別番号等の変更は、書換ボタン５０４ｄを操作に合わせて、操作部５０４の数字キー等を用いるようにすればよい。これにより、たとえば既存の遊技機が他のホール等に中古品として引き渡されても、ＩＣチップ２７１には、上述した本体製造番号（又は主基板番号）を示す固有の識別情報と、中古品として引き受けたホール側の設置ホール識別番号等が記憶されているため、中古品として引き受けたホール側でも読取装置５００によって、少なくとも一日に一回は行われるたとえば主制御基板２２０上の各電子素子等の状態の確認作業に併せた上述の検査を容易に行うことができる。
【０１１９】
また、読取装置５００の内部には、図１０に示すように、読取駆動部５０５、読取情報処理部５０６、スピーカ駆動部５０７、表示駆動部５０８、内部Ｉ／Ｆ（インタフェース）５０９、ＲＯＭ５１０、ＲＡＭ５１１、ＣＰＵ５１２等が設けられている。
【０１２０】
読取駆動部５０５は、タグ情報読取キー５０４ａの操作に応じてタグ情報読取部５０１に対し、ＩＣタグシール２７０のＩＣチップ２７１に記憶されている固有の識別情報を読み取るための信号を送信させ、さらにＩＣタグシール２７０のＩＣチップ２７１からの返信信号を受け取らせる。また、読取駆動部５０５は、識別情報読取キー５０４ｂの操作に応じて識別情報読取部５０１ａに対し、たとえば基板ケースシール２５０のＱＲコード２５１やＩＣタグシール２７０のＱＲコード２７５等を読み取らせる。
【０１２１】
また、読取駆動部５０５は、廃棄ボタン５０４ｃの操作に応じてタグ情報読取部５０１に対し、ＩＣチップ２７１の内容を破棄するために、たとえば「００ｈ  ００ｈ  ００ｈ・・・」等のように書き換えるための信号を送信させ、さらにＩＣタグシール２７０のＩＣチップ２７１からの返信信号を受け取らせる。また、読取駆動部５０５は、書換ボタン５０４ｄの操作等に応じてＩＣチップ２７１の設置ホール識別番号等を書き換えるための信号を送信させ、さらにＩＣタグシール２７０のＩＣチップ２７１からの返信信号を受け取らせる。
【０１２２】
読取情報処理部５０６は、ＩＣタグシール２７０のＩＣチップ２７１から受け取った信号を処理し、表示部５０３に表示される表示信号とする。また、読取情報処理部５０６は、識別情報読取部５０１ａによって読み取られたＱＲコード２５１，２７５の固有の識別情報を処理し、表示部５０３に表示される表示信号とする。
【０１２３】
スピーカ駆動部５０７は、たとえばタグ情報読取部５０１又は識別情報読取部５０１ａによる読取完了を示す音声、あるいはタグ情報読取部５０１又は識別情報読取部５０１ａによる読取エラーが生じた場合のエラー音をスピーカ５０２から出力させる。
【０１２４】
表示駆動部５０８は、読取情報処理部５０６によって処理された表示信号に基づき、表示部５０３に、固有の識別情報やＩＣタグシール２７０のＩＣチップ２７１からの返信内容等を表示させる。また、表示駆動部５０８は、ＩＣタグシール２７０のＩＣチップ２７１から返信内容がたとえば「０」であるとき、ランプ（ＬＥＤ）５０３ａを点灯又は点滅させ、ＩＣタグシール２７０のＩＣチップ２７１から返信内容がたとえば「０」以外であるとき、ランプ（ＬＥＤ）５０３ｂが点灯又は点滅させる。
【０１２５】
なお、点灯又は点滅にあっては、ＩＣタグシール２７０側にＬＥＤを設けておいて、ＩＣチップ２７１による減算処理の結果が「０」である場合、そのＬＥＤが点灯又は点滅されるようにしてもよい。また、ＬＥＤはたとえば青色と赤色の２つとし、ＩＣチップ２７１による減算処理の結果が「０」である場合、青色のＬＥＤが点灯又は点滅し、その減算処理の結果が「０」以外である場合、赤色のＬＥＤを点灯又は点滅させるようにしてもよい。この場合、ＩＣタグシール２７０側のＬＥＤの点灯又は点滅によって上述の検査の結果を容易に確認できる。
【０１２６】
内部Ｉ／Ｆ（インタフェース）５０９は、操作部５０４の少なくともＩＣタグシール２７０のＩＣチップ２７１の固有の識別情報を読み取る際に操作されるタグ情報読取キー５０４ａと、たとえば基板ケースシール２５０のＱＲコード２５１やＩＣタグシール２７０のＱＲコード２７５等を読み取る際に操作される識別情報読取キー５０４ｂと、ＩＣチップ２７１の内容を破棄させる際に操作される廃棄ボタン５０４ｃと、ＩＣチップ２７１の内容を書き換える際に操作される書換ボタン５０４ｄとのいずれかからの入力を受け付ける。
【０１２７】
ＲＯＭ５１０には、少なくともＣＰＵ５１２による制御に必要な制御プログラムが格納されている。ＲＡＭ５１１には、タグ情報読取部５０１によって読み取られたＩＣタグシール２７０のＩＣチップ２７１からの返信内容や、識別情報読取部５０１ａによって読み取られたたとえば基板ケースシール２５０のＱＲコード２５１やＩＣタグシール２７０のＱＲコード２７５からの固有の識別情報等が記憶される。
【０１２８】
ＣＰＵ５１２は、ＲＯＭ５１０に格納されている制御プログラムに基づいて各部の動作を制御する。ＣＰＵ５１０による主な制御としては、ＩＣタグシール２７０のＩＣチップ２７１の固有の識別情報を読み取る際のタグ情報読取キー５０４ａの操作に応じて読取駆動部５０５を制御し、タグ情報読取部５０１によってその固有の識別情報を読み取らせることである。
【０１２９】
また、ＣＰＵ５１２による主な制御としては、たとえば基板ケースシール２５０のＱＲコード２５１やＩＣタグシール２７０のＱＲコード２７５を読み取る際に操作される識別情報読取キー５０４ｂの操作に応じて読取駆動部５０５を制御し、識別情報読取部５０１ａによってそれらの固有の識別情報を読み取らせることである。また、ＣＰＵ５１２による主な制御としては、ＩＣチップ２７１の内容を破棄させる際に操作される廃棄ボタン５０４ｃの操作に応じて読取駆動部５０５を制御し、ＩＣチップ２７１の内容を破棄させたり、ＩＣチップ２７１の内容を書き換える際に操作される書換ボタン５０４ｄの操作に応じて読取駆動部５０５を制御し、ＩＣチップ２７１の内容を書き換えさせたりすることである。
【０１３０】
また、ＣＰＵ５１２による主な制御としては、タグ情報読取部５０１によってＩＣタグシール２７０のＩＣチップ２７１の固有の識別情報（この場合は返信内容である）が読み取られた後、読取情報処理部５０６に対し、その固有の識別情報を表示信号とするように処理させることである。また、ＣＰＵ５１２による主な制御としては、識別情報読取部５０１ａによってたとえば基板ケースシール２５０のＱＲコード２５１やＩＣタグシール２７０のＱＲコード２７５が読み取られた後、読取情報処理部５０６に対し、それらの固有の識別情報を表示信号とするように処理させることである。
【０１３１】
このような読取装置５００を用いることにより、次のような検査等を行うことができる。また、ＩＣタグシール２７０のＩＣチップ２７１は、剥離剤等によって不正に引き剥がされたり、上蓋ケース２３０が不正に開けられて検査済みの１チップＲＯＭ２２１が裏ＲＯＭ又は不正ＲＯＭと呼ばれるものに差し替えられたり、あるいは基板ケースが筐体２の内部から不正に取り外されて持ち去られてしまったりする場合等において、後述のように記憶済みの固有の識別情報を自己破棄する。
【０１３２】
なお、以下においては、読取装置５００によってたとえば基板ケースシール２５０のＱＲコード２５１からの固有の識別情報が読み取られるとともに、ＩＣタグシール２７０のＩＣチップ２７１からの読み取りが行われるものとする。また、たとえば基板ケースシール２５０のＱＲコード２５１は、たとえばアスキーコードのデータを用いて生成されたものとし、その内容が「１２３／５６７８」とした本体製造番号であるとし、識別情報読取部５０１ａによってそのＱＲコード２５１が読み取られると、アスキーコードの「３１ｈ  ３２ｈ  ３３ｈ  ２Ｆｈ  ３５ｈ  ３６ｈ  ３７ｈ  ３８ｈ」が表示部５０３に表示されるものとする。
【０１３３】
また、ＩＣタグシール２７０のＩＣチップ２７１には、アスキーコードの「３１ｈ  ３２ｈ  ３３ｈ  ２Ｆｈ  ３５ｈ  ３６ｈ  ３７ｈ  ３８ｈ」の全てをたとえば加算した「０１Ａ１ｈ」が固有の識別情報として記憶されているものとする。この場合、ＩＣタグシール２７０のＩＣチップ２７１に記憶されるデータは、アスキーコードの全てがたとえば加算によって圧縮されたものとなる。また、ＩＣタグシール２７０のＩＣチップ２７１には、上述した設置ホール識別番号等が記憶されているものとする。また、主制御基板ユニット２００はブラケット部材２４０を介して筐体２に取り付けられ、ＩＣタグシール２７０は本体ケース２１０の背面側とブラケット部材２４０との間に貼着されているものとする。
【０１３４】
そして、まず、図１１に示すように、少なくとも一日に一回は行われるたとえば主制御基板２２０上の各電子素子等の状態の確認作業に併せ、上述した検査済みの１チップＲＯＭ２２１が裏ＲＯＭ又は不正ＲＯＭと呼ばれるものに不正に差し替えられていないかどうか、あるいは不正な主制御基板が収容された基板ケースが現在使用されている主制御基板ユニット２００と不正に差し替えられていないかどうかを検査を開始する場合（ステップＳ１）、前扉３の操作卓部２０の鍵穴２５に専用鍵を差し込んでロックを解除し、前扉３を開放しておく。
【０１３５】
次いで、読取装置５００の識別情報読取部５０１ａを、上蓋ケース２３０の凹部２３６の底面部２３７と主制御基板２２０との間に貼着されている基板ケースシール２５０に近づけ、操作部５０４の識別情報読取キー５０４ｂを操作する。このとき、上述したように、ＣＰＵ５１２により、読取駆動部５０５が制御され、識別情報読取部５０１ａによって基板ケースシール２５０の固有の識別情報を示すＱＲコード２５１が光スキャンによって読み取られ（ステップＳ２）、その読み取られた固有の識別情報が一旦、ＲＡＭ５１１に記憶される。
【０１３６】
ここで、ＣＰＵ５１２により、ＱＲコード２５１から読み取られたたとえば本体製造番号の「１２３／５６７８」がアスキーコードの「３１ｈ  ３２ｈ  ３３ｈ  ２Ｆｈ  ３５ｈ  ３６ｈ  ３７ｈ  ３８ｈ」に変換されて読取情報処理部５０６に渡される。読取情報処理部５０６では、その変換されたアスキーコードを表示部５０３で表示できる表示信号に処理すると、ＣＰＵ５１２により、表示駆動部５０８が制御され、読取情報処理部５０６によって処理された表示信号に基づき、表示部５０３に読み取られた固有の識別情報が表示される（ステップＳ３）。
【０１３７】
すなわち、ＱＲコード２５１から読み取られた本体製造番号の「１２３／５６７８」がアスキーコードに変換されることで、「３１ｈ  ３２ｈ  ３３ｈ  ２Ｆｈ  ３５ｈ  ３６ｈ  ３７ｈ  ３８ｈ」とした固有の識別情報が表示されることになる。
【０１３８】
このとき、ＣＰＵ５１２による演算によって（ステップＳ４）、アスキーコードの「３１ｈ  ３２ｈ  ３３ｈ  ２Ｆｈ  ３５ｈ  ３６ｈ  ３７ｈ  ３８ｈ」の全てがたとえば加算され、その演算結果の「０１Ａ１ｈ」が表示部５０３に表示される（ステップＳ５）。次いで、タグ情報読取部５０１を、本体ケース２１０の背面側とブラケット部材２４０との間に貼着されているＩＣタグシール２７０に近づけ、操作部５０４のタグ情報読取キー５０４ａを操作する。このとき、ＣＰＵ５１２による演算結果の「０１Ａ１ｈ」がＩＣタグシール２７０のタグであるインレット２７３に送信される（ステップＳ６）。
【０１３９】
タグであるインレット２７３では、ＩＣチップ２７１によりたとえば「０１Ａ１ｈ」−「０１Ａ１ｈ」とした減算による演算処理が行われ（ステップＳ７）、その処理結果が返信される（ステップＳ８）。すなわち、その減算による処理結果が「０」である場合はその「０」が返信内容となる。これに対し、その減算による処理結果が「０」以外である場合はその「０」以外の値が返信内容となる。
【０１４０】
次に、読取装置５００によりＩＣチップ２７１からの返信が受け取られると、表示駆動部５０８により表示部５０３にＩＣタグシール２７０のＩＣチップ２７１から返信内容が表示される（ステップＳ９）。すなわち、その返信内容が「０」であればその「０」が表示され、その返信内容が「０」以外であればその「０」以外の値が表示される。また、表示駆動部５０８により、その返信内容が「０」であればランプ（ＬＥＤ）５０３ａが点灯又は点滅され、その返信内容が「０」以外であればランプ（ＬＥＤ）５０３ｂが点灯又は点滅される（ステップＳ１０）。
【０１４１】
この場合、たとえばＩＣタグシール２７０側にＬＥＤを設けておいて、ＩＣチップ２７１による減算処理の結果が「０」である場合、そのＬＥＤが点灯又は点滅されるようにしてもよい。また、ＬＥＤはたとえば青色と赤色の２つとし、ＩＣチップ２７１による減算処理の結果が「０」である場合、青色のＬＥＤが点灯又は点滅し、その減算処理の結果が「０」以外である場合、赤色のＬＥＤを点灯又は点滅させるようにしてもよい。
【０１４２】
そして、表示部５０３に表示されるＩＣタグシール２７０のＩＣチップ２７１から返信内容やランプ（ＬＥＤ）５０３ａ又は５０３ｂの点灯又は点滅を確認することで、たとえば基板ケースシール２５０のＱＲコード２５１からの固有の識別情報と、ＩＣタグシール２７０のＩＣチップ２７１に記憶されている固有の識別情報とが一致しているかどうかを確認することができる。
【０１４３】
すなわち、たとえば表示部５０３に表示されるＩＣチップ２７１からの返信内容が「０」であれば、たとえば基板ケースシール２５０のＱＲコード２５１からの固有の識別情報と、ＩＣタグシール２７０のＩＣチップ２７１に記憶されている固有の識別情報とが一致していると確認できる。このとき、ランプ（ＬＥＤ）５０３ａが点灯又は点滅することを確認することでも、たとえば基板ケースシール２５０のＱＲコード２５１からの固有の識別情報と、ＩＣタグシール２７０のＩＣチップ２７１に記憶されている固有の識別情報とが一致していると確認できる。
【０１４４】
これに対し、たとえば表示部５０３に表示されるＩＣチップ２７１からの返信内容が「０」以外であれば、たとえば基板ケースシール２５０のＱＲコード２５１からの固有の識別情報と、ＩＣタグシール２７０のＩＣチップ２７１に記憶されている固有の識別情報とが一致していないと確認できる。このとき、ランプ（ＬＥＤ）５０３ｂが点灯又は点滅することを確認することでも、たとえば基板ケースシール２５０のＱＲコード２５１からの固有の識別情報と、ＩＣタグシール２７０のＩＣチップ２７１に記憶されている固有の識別情報とが一致していないと確認できる。
【０１４５】
また、表示部５０３に表示されるＩＣチップ２７１からのそれぞれの返信内容やランプ（ＬＥＤ）５０３ａ又は５０３ｂの点灯又は点滅を確認することで、少なくとも基板ケースシール２５０やＩＣタグシール２７０が偽造シールに貼り替えられたかどうかを認識できる。
【０１４６】
また、表示部５０３に表示されるＩＣチップ２７１からのそれぞれの返信内容やランプ（ＬＥＤ）５０３ａ又は５０３ｂの点灯又は点滅を確認することで、上述した検査済みの１チップＲＯＭ２２１が裏ＲＯＭ又は不正ＲＯＭと呼ばれるものに不正に差し替えられていないかどうか、あるいは不正な主制御基板が収容された基板ケースが現在使用されている主制御基板ユニット２００と不正に差し替えられていないかどうかを容易に検査することができる。
【０１４７】
一方、ＩＣタグシール２７０のＩＣチップ２７１からの固有の識別情報の読み取りが行われなかったり、ＩＣチップ２７１からの返信内容がたとえば「０」で無かったりした場合は、少なくとも主制御基板ユニット２００が不正に取り外されたことを認識できる。
【０１４８】
また、このような読取装置５００による、たとえば基板ケースシール２５０のＱＲコード２５１からの固有の識別情報の読み取りと、ＩＣタグシール２７０のＩＣチップ２７１からの読み取りとを、他のスロットマシン１でも同様に繰り返し行うことで、上述した検査が容易に行える。また、複数台のスロットマシン１に対して順々に検査する際、読取装置５００を持ち運ぶことになるが、読取装置５００がハンディタイプであることから、その持ち運びが負担になることもない。
【０１４９】
また、上述したスロットマシン１の検査方法の手順を読取装置５００の表示部５０３に表示しておくようにしてもよく、このようにした場合は、検査の初心者であっても検査を容易に実行することが可能となる。
【０１５０】
なお、ここでは、たとえば基板ケースシール２５０のＱＲコード２５１からの固有の識別情報の読み取りと、ＩＣタグシール２７０のＩＣチップ２７１からの読み取りとを行う場合で説明したが、この例に限らず、上述した管理票２５５、ロムシール２６０、証紙５０に本体製造番号（又は主基板番号）を示すＱＲコードを付しておいて、上記同様に、そのＱＲコードを読み取り、その演算結果をＩＣタグシール２７０のタグであるインレット２７３に送信し、ＩＣチップ２７１からの返信内容を確認することで、少なくとも管理票２５５、ロムシール２６０、証紙５０が偽造シールに貼り替えられたかどうかを認識できる。
【０１５１】
一方、たとえばホール等において、新台入れ替え等が行われ、廃棄業者等に引き渡されるとき、廃棄ボタン５０４ｃを操作する。この操作により、ＩＣタグシール２７０のＩＣチップ２７１に上述した「０１Ａ１ｈ」が記憶されているとき、廃棄ボタン５０４ｃの操作によってそのＩＣチップ２７１の内容が、たとえば「００ｈ  ００ｈ  ００ｈ・・・」等のような所定の文字列に書き換えられることで、ＩＣチップ２７１の内容が破棄される。これにより、既存の遊技機がたとえば廃棄業者を介して一般市場等に出回ってしまい、そのＩＣタグシール２７０が剥がされてしまっても、不正な使用が行えなくなる。
【０１５２】
これに対し、たとえば既存の遊技機が他のホール等に中古品として引き渡されるとき、書換ボタン５０４ｄを操作する。この操作により、ＩＣタグシール２７０のＩＣチップ２７１に上述した本体製造番号（又は主基板番号）を示す固有の識別情報以外に、設置ホール識別番号等が記載されているとき、書換ボタン５０４ｄを操作することで、ＩＣチップ２７１の設置ホール識別番号等が書き換えられる。なお、ＩＣチップ２７１の設置ホール識別番号等の変更は、書換ボタン５０４ｄを操作に合わせて、操作部５０４の数字キー等を用いるようにすればよい。
【０１５３】
これにより、ＩＣチップ２７１には、上述した本体製造番号（又は主基板番号）を示す固有の識別情報と、中古品として引き受けたホール側の設置ホール識別番号等が記憶されることになるため、中古品として引き受けたホール側でも読取装置５００によって、少なくとも一日に一回は行われるたとえば主制御基板２２０上の各電子素子等の状態の確認作業に併せた上述の検査等を容易に行うことができる。
【０１５４】
なお、上述した検査においては、読取装置５００により読み取った基板ケースシール２５０のＱＲコード２５１からの識別情報のデータを圧縮してＩＣタグシール２７０のＩＣチップ２７１に送信し、そのＩＣチップ２７１による四則算のいずれかによっての演算結果が読み取る場合について説明したが、この例に限らず、読取装置５００によりＩＣタグシール２７０のＩＣチップ２７１のデータを圧縮した固有の識別情報を読み取り、その読み取った固有の識別情報のデータを読取装置５００側で四則算のいずれかに従って復元し、たとえば基板ケースシール２５０のＱＲコード２５１から読み取った固有の識別情報と照合するようにしてもよい。
【０１５５】
以上のような手順によって、たとえば主制御基板２２０上の各電子素子等の状態の確認作業に併せた上述の検査等を容易に行うことができる。
【０１５６】
一方、遊戯中又は営業時間以外のたとえば夜間時等において、ＩＣタグシール２７０が剥離剤等によって剥離されたり、基板ケースが筐体２の内部から不正に取り外されたりすると、ＩＣタグシール２７０が筐体２の内部に設けられている監視装置２７６から離されてしまうことになる。この場合、監視装置２７６とＩＣタグシール２７０のＩＣチップ２７１との間の通信可能な距離がたとえば数十ｃｍ程度であるようにすると、ＩＣタグシール２７０がその通信可能な距離から離されることで、監視装置２７６からの監視信号の受信が行えなくなってしまうことになる。
【０１５７】
このようなことから、ＩＣタグシール２７０のＩＣチップ２７１は、監視装置２７６からの増幅された監視信号の信号電圧が一定値以下に低下したことを検知し（ステップＳ１１）、記憶済みの固有の識別情報を自己破棄する（ステップＳ１２）。すなわち、上述したように、ＩＣチップ２７１は、自己の記憶領域にたとえば「００ｈ  ００ｈ  ００ｈ・・・」等のような所定の文字列を書き込む。
【０１５８】
これにより、そのＩＣタグシール２７０が不正に使用されようとしても、そのＩＣチップ２７１からの固有の識別情報の読み取りが行えなくなることで、そのＩＣタグシール２７０の不正使用を容易に確認することができる。また、少なくとも基板ケースが筐体内部から不正に取り外されたことを容易に確認できることから、検査済みのＲＯＭが裏ＲＯＭ又は不正ＲＯＭと呼ばれるものに差し替えられたかどうかの確認や、不正な制御基板を収容した基板ケースが現在使用されている基板ケースと不正に差し替えられたかどうかの確認を容易に行うことができる。
【０１５９】
このように、本実施例では、たとえばブラケット部材２４０と本体ケース２１０との間に貼着されている、非接触で読み取りが可能な固有の識別情報を記憶する記憶手段であるＩＣチップ２７１を有したＩＣタグシール２７０に、筐体２の内部に設けられる監視手段としての監視装置２７６により、ホール内の図示しない発信装置からの監視信号を増幅して与えるようにし、ＩＣタグシール２７０が剥離剤等によって不正に剥がされたり、ＩＣタグシール２７０が検査済みの１チップＲＯＭ２２１、主制御基板２２０又は基板ケースのいずれかとともに筐体２の内部から取り出されたとき、監視装置２７６からの信号レベルが一定値以下になることで、ＩＣタグシール２７０のＩＣチップ２７１により記憶済みの固有の識別情報が自己破棄され、ＩＣタグシール２７０が不正に使用されても、ＩＣタグシール２７０からの固有の識別情報の読み取りが行えなくなるようにした。
【０１６０】
これにより、ＩＣタグシール２７０が不正に剥がされたり、たとえば基板ケースとともに持ち出されたりしても、そのＩＣタグシール２７０からの固有の識別情報の読み取りが行えないため、ＩＣタグシール２７０の不正な使用ができなくなり、また、たとえＩＣタグシール２７０が不正に使用されても、ＩＣタグシール２７０からの固有の識別情報の読み取りが行えないことから、少なくとも基板ケースが筐体２の内部から不正に取り外されたことを容易に確認でき、検査済みの１チップＲＯＭ２２１が裏ＲＯＭ又は不正ＲＯＭと呼ばれるものに差し替えられたかどうかの確認や、不正な制御基板を収容した基板ケースが現在使用されている基板ケースと不正に差し替えられたかどうかの確認を容易に行うことができる。
【０１６１】
また、本実施例では、監視装置２７６からＩＣタグシール２７０に常時、監視信号を与えるようにしているので、たとえばホールでの営業時間以外のたとえば夜間時等において、上蓋ケース２３０が不正に開けられて検査済みの後述の１チップＲＯＭ２２１が裏ＲＯＭ又は不正ＲＯＭと呼ばれるものに差し替えられたり、あるいは基板ケースが筐体２の内部から不正に取り外されて持ち去られてしまったりする場合等があっても、その監視信号の信号レベルが一定値以下になることで、ＩＣタグシール２７０のＩＣチップ２７１により記憶済みの固有の識別情報が自己破棄され、ＩＣタグシール２７０の不正使用を防ぐことができる。
【０１６２】
また、本実施例では、ＩＣタグシール２７０のＩＣチップ２７１が監視装置２７６からの監視信号の信号電圧が一定値以下に低下したことを検知したとき、自己の記憶領域にたとえば「００ｈ  ００ｈ  ００ｈ・・・」等のような所定の文字列を書き込むようにしたので、ＩＣタグシール２７０のＩＣチップ２７１からの不正な読み取りが行われても、その読み取られたデータは何ら意味をなさないため、固有の識別情報が不正に盗まれてしまうことを確実に防止することができる。
【０１６３】
なお、本実施例では、ＩＣタグシール２７０のＩＣチップ２７１が監視装置２７６からの監視信号の信号電圧が一定値以下に低下したことを検知したとき、固有の識別情報を自己破棄する場合について説明したが、この例に限らず、たとえば上蓋ケース２３０が不正に開けられたときに、ＩＣタグシール２７０のＩＣチップ２７１が固有の識別情報を自己破棄するようにしてもよい。この場合、たとえば上述した監視装置２７６が上蓋ケース２３０の不正な開放を監視するようにしておき、その不正な開放が検知されたとき、ＩＣタグシール２７０のＩＣチップ２７１に与える監視信号を停止させるようにすればよい。これにより、上蓋ケース２３０が不正に開けられと直ちに、固有の識別情報が自己破棄されるため、上蓋ケース２３０を開放してＩＣタグシール２７０のＩＣチップ２７１からの固有の識別情報が不正に読み取られることを確実に防止することができる。
【０１６４】
また、本実施例では、ＩＣタグシール２７０のＩＣチップ２７１が監視装置２７６からの監視信号の信号電圧が一定値以下に低下したことを検知したとき、固有の識別情報を自己破棄する場合について説明したが、この例に限らず、ＩＣタグシール２７０のＩＣチップ２７１がホール内の図示しない発信装置からの監視信号の信号電圧が一定値以下に低下したことを検知したとき、固有の識別情報を自己破棄するようにしてもよい。
【０１６５】
この場合、ＩＣタグシール２７０のＩＣチップ２７１との通信に使用される周波数等によって、その通信距離が変えられるため、ＩＣタグシール２７０のＩＣチップ２７１を通信距離の長いものとしておく。ちなみに、通信に使用される周波数帯がたとえば数十ＭＨｚであるとき、その通信距離が数ｃｍ程度であり、周波数帯がたとえば数ＧＨｚであるとき、その通信距離が数ｍ程度である。そのため、ＩＣタグシール２７０のＩＣチップ２７１との通信に使用される周波数を数ＧＨｚとするようにすれば、ホール内の図示しない発信装置からの監視信号の信号電圧が一定値以下に低下したことを検知することができる。
【０１６６】
この場合、上記同様に、たとえば基板ケースが筐体２の内部から不正に取り外されて、ホール外に持ち去られてしまったりする場合等であっても、ＩＣタグシール２７０のＩＣチップ２７１の固有の識別情報が自己破棄されることになる。
【産業上の利用可能性】
【０１６７】
スロットマシンに限らず、パチンコ機、ピンボールゲーム機、アレンジボールゲーム機、じゃん球といった他の遊技機にも適用可能である。
【図面の簡単な説明】
【０１６８】
【図１】本発明の遊技機の検査管理装置が適用される回胴式遊技装置の一例を示す斜視図である。
【図２】図１の回胴式遊技装置の内部構成を示す正面図である。
【図３】図１の回胴式遊技装置の筐体内部に取り付けられている主制御基板を組み込んだ主制御基板ユニットを分解して示す斜視図である。
【図４】図２及び図３の基板ケースシールの貼着状態の詳細を説明するための図である。
【図５】図３のＲＯＭへのロムシールの貼着状態を説明するための他の実施例を示す図である。
【図６】図３の主制御基板と上蓋ケースとの間に隙間が生じないようにした場合の他の実施例を示す図である。
【図７】図３のＩＣタグシールの貼着状態の詳細を説明するための図である。
【図８】図３のＩＣタグシールの貼着状態の他の例の詳細を説明するための図である。
【図９】図３のたとえば基板ケースシールとＩＣタグシールからの固有の識別情報を読み取る読取装置の一例を示す図である。
【図１０】図９の読取装置の内部構成を示すブロック図である。
【図１１】図１のスロットマシンの検査等について説明するためのフローチャートである。
【符号の説明】
【０１６９】
１  スロットマシン
２  筐体
３  前扉
１０  上パネル部
２０  操作卓部
３０  下パネル部
３１  パネル
４０  受皿ユニット
５０  証紙
６６  ホッパ装置
６７  補助貯留部
６８  主電源装置
１００  回胴装置
１０１，１０２，１０３  リール
２００  主制御基板ユニット
２１０  本体ケース
２１４  リブ
２２０  主制御基板
２２１  １チップＲＯＭ
２３０  上蓋ケース
２３６，２３８  凹部
２３７，２３９  底面部
２４０  ブラケット部材
２５０  基板ケースシール
２５１  ＱＲコード
２５４ａ，２５４ｂ，２６４ａ，２６４ｂ，２７４ａ，２７４ｂ  接着層
２５５  管理票
２６０  ロムシール
２７０  ＩＣタグシール
２７１  ＩＣチップ
２７２  箔状アンテナ
２７３  インレット
２７５  ＱＲコード
２７６  監視装置
３００  サブ制御基板ユニット
４００  中央表示制御基板ユニット
５００  読取装置
５０１  タグ情報読取部
５０１ａ  識別情報読取部
５０２  スピーカ
５０３  表示部
５０４  操作部
５０４ａ  タグ情報読取キー
５０４ｂ  識別情報読取キー
５０５  読取駆動部
５０６  読取情報処理部
５０７  スピーカ駆動部
５０８  表示駆動部
５０９  内部Ｉ／Ｆ（インタフェース）
５１０  ＲＯＭ
５１１  ＲＡＭ
５１２  ＣＰＵ
【図１】
2008212572.tif 000003
【図２】
2008212572.tif 000004
【図３】
2008212572.tif 000005
【図４】
2008212572.tif 000006
【図５】
2008212572.tif 000007
【図６】
2008212572.tif 000008
【図７】
2008212572.tif 000009
【図８】
2008212572.tif 000010
【図９】
2008212572.tif 000011
【図１０】
2008212572.tif 000012
【図１１】
2008212572.tif 000013